(57)【特許請求の範囲】
【請求項１】
先端部下面に各々後輪を備えて並列された二本のフィンガの根元部を連結してその下面に前輪を備えたフォーク部と、上端に取手部を備えて上記前輪の側部から上方に伸びるように装着されて回動操作により前輪の方向を操作するハンドル部と、このハンドル部の傾倒操作により加圧されて上記フォーク部を上昇させるフォーク上昇用ポンプからなり、二本の上記フィンガ上に跨るように棒状の固定バーを連結すると共に、二本の上記フィンガの先端部に各々配設された支軸を中心に回動して上記フィンガ間に突出するように略Ｔ字形のコントロールバーを上記フィンガに装着し、連結棒により上記コントロールバーと連結された操作レバーを上記ハンドル部近傍に設けて、上記操作レバーの操作により上記フィンガ間に上記コントロールバーが突出した時に、積載されるリールまたはドラム状の部材の荷重を上記コントロールバーを介して受けるストッパを上記フィンガに設けたリールまたはドラム状部材運搬用のパレットトラック。
【請求項２】
固定バーの連結位置を所定のピッチで可変自在とするように複数の取付部を各フィンガ上に設けた請求項１記載のパレットトラック。
【請求項３】
固定バーの連結位置を送りネジにより可変するようにした請求項１記載のパレットトラック。
【発明の詳細な説明】
【０００１】
【発明の属する技術分野】
本発明は、リールまたはドラム状の重い部材を運搬する際に利用されるパレットトラックに関するものである。
【０００２】
【従来の技術】
図１１は一般によく使用されるパレットトラックとパレットに積載された重い部材の斜視図であり、同図において、１は部材７を積載するＵ字状フォークであり、二本のフィンガ１Ａ，１Ｂの各先端部下面に各々後輪２Ａ，２Ｂを備え、フィンガ１Ａ，１Ｂが連結された根元部下面には前輪３を備えている。
【０００３】
また、４はハンドル部で前輪３の側部から上方に伸ばされた棒体部４Ａとその先端の取手部４Ｂからなり、この取手部４Ｂの回動操作により前輪３の方向操作が行えるとともに、傾倒操作によりフォーク部上昇用ポンプ５を加圧するように構成され、さらに、フォーク部上昇用ポンプ５を制御する制御レバー６が棒体部４Ａに装着されている。
【０００４】
次に、このパレットトラックの操作方法について説明する。
このパレットトラックを使用してリールまたはドラム状の部材７を運搬する場合には、まず、パレット８上に部材７を積載した後、パレット８の側面孔部８Ａに、パレットトラックのフィンガ１Ａ，１Ｂの各先端部をハンドル部４の回動操作により誘導しながら挿入させる。
【０００５】
さらに、ハンドル部４を傾倒操作することによりフォーク部上昇用ポンプ５を加圧させ、フォーク１を上昇させることによりパレット８を持ち上げて運搬を行い、そして、ハンドル部４を操作し、部材７が積載されたパレット８を所定の場所へ運搬（牽引）した後、棒体部４Ａに装着された制御レバー６を所定の操作をすることにより、フォーク部上昇用ポンプ５の圧力を下げ、フォーク１を下降させてパレット８を降ろし、ハンドル部４の操作によりパレットトラックをパレット８から引き抜いて移動させるものである。
【０００６】
【発明が解決しようとする課題】
しかしながら上記従来のパレットトラックでは、部材７を運搬する場合、先ず、パレット８に部材７を積載し、それから、パレットトラックにより所定の場所へ運搬して到着後、さらにパレット８上より部材７を降ろすという作業があり、このパレット８への部材７の積み降ろしのため運搬作業の効率が悪いという課題があった。
【０００７】
本発明は、このようなパレットトラックについて、部材の積み降ろしおよび運搬作業の効率の良いパレットトラックを提供することを目的とするものである。
【０００８】
【課題を解決するための手段】
上記課題を解決するために本発明のパレットトラックは、一般に使用されているパレットトラックのＵ字状フォークの根元部側に、二本のフィンガ上に跨るように棒状の固定バーを連結すると共に、二本のフィンガの先端部に各々配設された支軸を中心に回動してフィンガ間に突出するように略Ｔ字形のコントロールバーをフィンガに装着し、連結棒によりコントロールバーと連結された操作レバーをハンドル部近傍に設けて、操作レバーの操作によりフィンガ間にコントロールバーが突出した時に、積載されるリールまたはドラム状の部材の荷重をコントロールバーを介して受けるストッパを上記フィンガに設けた構成としたものである。
【０００９】
この本発明によれば、リールまたはドラム状の重い部材を運搬する場合、積み降ろしおよび運搬作業の効率の良いパレットトラックが得られる。
【００１０】
【発明の実施の形態】
本発明の請求項１に記載の発明は、先端部下面に各々後輪を備えて並設された二本のフィンガの根元部を連結してその下面に前輪を備えたフォーク部と、上端に取手部を備えて上記前輪の側部から上方に伸びるように装着されて回動操作により前輪の方向を操作するハンドル部と、このハンドル部の傾倒操作により加圧されて上記フォーク部を上昇させるフォーク上昇用ポンプからなり、上記フォーク部の根元部に並設する二本のフィンガ上に跨るように棒状の固定バーを連結すると共に、二本のフィンガの先端部に各々配設された支軸を中心に回動して上記フィンガ間に突出するように略Ｔ字形のコントロールバーをフィンガに装着し、連結棒によりコントロールバーと連結された操作レバーをハンドル部近傍に設けて、操作レバーの操作によりフィンガ間にコントロールバーが突出した時に、積載されるリールまたはドラム状の部材の荷重をコントロールバーを介して受けるストッパをフィンガに設けた構成としたものであり、リールまたはドラム状の重い部材を運搬する場合、作業者が直接コントロールバーに触れることなくハンドル部側に居ながら操作レバーを操作することにより、固定バーとコントロールバーの間に運搬物を積み降ろしできるので、積み降ろしおよび運搬作業の効率が良く、より安全で、使い勝手の良いパレットトラックを提供することができるという作用を有する。
【００１４】
請求項２に記載の発明は、請求項１に記載の発明において、固定バーの連結位置を所定のピッチで可変自在とするように複数の取付部を各フィンガ上に設けた構成としたものであり、リールまたはドラム状の重い部材の外周径に適した位置の取付部へ固定バーを挿入するだけで固定バーの位置を調整できるという作業性の良いパレットトラックを提供できるという作用を有する。
【００１５】
請求項３に記載の発明は、請求項１に記載の発明において、固定バーの連結位置を送りネジにより可変するようにした構成としたものであり、作業者はハンドル部側に居ながら、送りネジの操作ハンドルを回転操作することにより、固定バーの位置をリールまたはドラム状の重い部材の外周径に最も適した位置に調整できる操作性の良いパレットトラックを提供できるという作用を有する。
【００１６】
以下、本発明の実施の形態について、図１〜図１０を用いて説明する。
（実施の形態１）
図１は本発明の第１の実施の形態によるパレットトラックの斜視図であり、本実施の形態において、上記従来の技術で説明した構成部分と同じ部分については、同じ符号を付して説明を省略する。
【００１７】
同図に示すように１は運搬物を積載するＵ字状フォークで、二本のフィンガ１Ａ，１Ｂの各先端部下面に各々後輪２Ａ，２Ｂを備え、フィンガ１Ａ，１Ｂが連結された根元部下面には前輪３を備えており、また、４はハンドル部で前輪３の側部から上方に伸ばされた棒体部４Ａとその先端の取手部４Ｂからなり、この取手部４Ｂの回動操作により前輪３の方向操作を行えるとともに、傾倒操作によりフォーク部上昇用ポンプ５を加圧するように構成され、さらに、フォーク部上昇用ポンプ５を制御する制御レバー６が、棒体部４Ａに装着されていることは従来の技術と同様である。
【００１８】
そして、二本のフィンガ１Ａ，１Ｂの根元部の固定部９Ａ間を橋絡する固定バー９と、フィンガ１Ａ，１Ｂの先端部の対向面に各々Ｌ字状の溝部を有する受け部１０Ａ，１０Ｂを設け、この受け部１０Ａ，１０Ｂの溝部間を橋絡するコントロールバー１１を着脱可能に保持したものである。
【００１９】
以上のように構成されるパレットトラックにより、リールまたはドラム状の重い部材７を運搬する場合は、次のように行う。
【００２０】
まず、中心軸が床面と水平状態にあるリールまたはドラム状の部材７を、半径方向より、コントロールバー１１を外した状態のパレットトラックのＵ字状フォーク１のフィンガ１Ａ，１Ｂからなる開口部内に、ハンドル部４の回動操作により誘導挿入させる。
【００２１】
そして、部材７の外周部下部の一方を、フィンガ１Ａ，１Ｂの根元部間を橋絡する固定バー９に当接させた後、部材７の下方にあるフィンガ１Ａ，１Ｂの先端部の受け部１０Ａ，１０Ｂの溝部にコントロールバー１１をはめ込んで固定し、上記リールまたはドラム状の部材７がＵ字状フォーク１の開口部より転がり出ないようにする。
【００２２】
次に、ハンドル部４を傾倒操作することにより、フォーク部上昇用ポンプ５を加圧させてフォーク１を上昇させることにより、フォーク１のフィンガ１Ａ，１Ｂに取り付けられた固定バー９とコントロールバー１１とにより、リールまたはドラム状の部材７を持ち上げる。
【００２３】
そして、ハンドル部４を操作し、部材７を所定の場所へ運搬（牽引）した後、棒体部４Ａに装着された制御レバー６を所定の操作をすることにより、フォーク部上昇用ポンプ５の圧力を下げてフォーク１を下降させ、部材７を床面に降ろし、二つのフィンガ１Ａ，１Ｂの先端部間を橋絡するコントロールバー１１を受け部１０Ａ，１０Ｂから取り外し、ハンドル部４の操作によりパレットトラックを部材７から離すことにより移動を終了するものであり、効率の良い運搬作業ができるものである。
【００２４】
（実施の形態２）
図２は本発明の第２の実施の形態によるパレットトラックの斜視図である。
【００２５】
本実施の形態は、同図に示すように二本のフィンガ１Ａ，１Ｂの根元部の固定部９Ａ間を橋絡する固定バー９を有することは、実施の形態１と同様であるが、二本のフィンガ１Ａ，１Ｂの一方である１Ｂの先端部に、一本のコントロールバー１２をスライド可能に取り付けられる保持部１３を有するとともに、他方のフィンガ１Ａの先端部には、上記コントロールバー１２を保持可能なＬ字状の溝部を有する受け部１４を有する構成としたものであり、第１の実施の形態と同様の効率的な運搬操作ができるとともに、コントロールバー１２がパレットトラックに一体に取り付けられていることによって、コントロールバー１２の紛失の恐れが無いので取扱いが容易なものである。
【００２６】
なお、上記コントロールバー１２をスライド動作する構成に代えて、図３に示すように、二本のフィンガ１Ａ，１Ｂの一方である１Ｂの先端部に、一本のコントロールバー１５を回動可能に取り付け、他方のフィンガ１Ａの先端部には、上記コントロールバー１５を保持するＬ字状の溝部を有する受け部１６を設ける構成としても、同様な効果が得られるものである。
【００２７】
（実施の形態３）
図４は本発明の第３の実施の形態によるパレットトラックの傾斜図である。
【００２８】
本実施の形態は、同図に示すように、二本のフィンガ１Ａ，１Ｂの根元部の固定部９Ａ間を橋絡する固定バー９を有することは、実施の形態１と同様であるが、二本のフィンガ１Ａ，１Ｂの先端部各々の保持部１８に、略同寸法のコントロールバー１７をスライド動作可能に取り付け、二本のフィンガ１Ａ，１Ｂ間に突出橋絡する構成としたものであり、コンパクトで、実施の形態１と同様の効率的な運搬作業ができるとともに、コントロールバー１７がパレットトラックに一体に取り付けられていることによって、コントロールバー１７の紛失の恐れの無い取扱いの容易なものである。
【００２９】
なお、上記コントロールバー１７をスライド動作する構成に代えて、図５に示すように二本のフィンガ１Ａ，１Ｂの先端部各々に略同寸法のコントロールバー１９を回動可能に取り付けるとともに、コントロールバー１９を保持可能なＬ字状の溝部を有する受け部２０を各々設け、二本のフィンガ１Ａ，１Ｂ間に突出橋絡するようにした構成や、図６に示すような二本のフィンガ１Ａ，１Ｂの先端部各々に略同寸法のＴ字形のコントロールバー２１Ａ，２１Ｂを各々の支軸２１Ａ１，２１Ｂ１を中心に回動可能に取り付け、二本のフィンガ１Ａ，１Ｂ間に突出橋絡させるとともに、突出時に部材７の荷重を受けるストッパ部２２Ａ，２２Ｂを設ける構成としても、同様の効果が得られるものである。
【００３０】
（実施の形態４）
図７は本発明の第４の実施の形態によるパレットトラックの斜視図である。
【００３１】
本実施の形態は、同図に示すように、二本のフィンガ１Ａ，１Ｂの根元部の固定部９Ａ間を橋絡する固定バー９を有すると共に、フィンガ１Ａ，１Ｂの先端部各々に、略同寸法のＴ字形のコントロールバー２１Ａ，２１Ｂが各々の支軸２１Ａ１，２１Ｂ１を中心に回動することにより、二本のフィンガ１Ａ，１Ｂ間に突出橋絡するように取り付けられ、突出時に部材７の荷重を受けるストッパ部２２Ａ，２２Ｂを有することは上記の実施の形態３と同様であるが、ハンドル部４の近傍に二本のフィンガ１Ａ，１Ｂ間にまたがる支軸２３が回動可能に取り付けられ、この支軸２３の一端に取り付けられた操作レバー２４と上記コントロールバー２１Ａ，２１Ｂを連結棒２５Ａ，２５Ｂにより連結した構成となっている。
【００３２】
以上のように構成されるパレットトラックを使用して、リールまたはドラム状の部材７を運搬する場合は、部材７をＵ字状フォーク１のフィンガ１Ａ，１Ｂからなる開口部内に誘導しながら挿入後、操作レバー２４を傾倒操作することにより、連結棒２５Ａ，２５Ｂを介してコントロールバー２１Ａ，２１Ｂがフィンガ１Ａ，１Ｂ間に突出橋絡して固定されるものであり、作業者が直接コントロールバー２１Ａ，２１Ｂに触れることなくハンドル部４側に居ながら部材７をＵ字状フォーク１の開口部内に固定することができ、より安全で、使い勝手の良いパレットトラックを提供することができるものである。
【００３３】
（実施の形態５）
図８は本発明の第５の実施の形態によるパレットトラックの斜視図である。
【００３４】
本実施の形態は、同図に示すように、上記第４の実施の形態で説明したものと殆ど同じであるが、二本のフィンガ１Ａ，１Ｂの根元部間を橋絡する固定バー９の取付位置を所定のピッチで移動できるようにフィンガ１Ａ，１Ｂ上に複数の取付用ネジ孔１Ａ１，１Ｂ１を設けた構成としたものであり、様々な外周径のリールまたはドラム状の部材７に適した取付位置を選択設定できるものである。
【００３５】
なお、上記固定バー９はネジ止め９Ａにより取付位置を設定する構成であるが、図９に示すように、二本のフィンガ１Ａ，１Ｂの根元部間を橋絡する固定バー２６の取付位置を選択的に設定できるＬ字状の溝部を有する複数の取付部２７Ａ，２７Ｂを設けた構成としても同様の効果が得られ、作業性の向上が図れるものである。
【００３６】
さらに、図１０に示すように、二本のフィンガ１Ａ，１Ｂの根元部間を橋絡する固定バー２８をフィンガ１Ａ，１Ｂ上の送りネジ２９Ａ，２９Ｂに取り付けるとともに、送りネジ２９Ａ，２９Ｂの一方に操作ハンドル３１を設け、二つの送りネジ２９Ａ，２９Ｂ間に各々取り付けられた歯車２９Ａ１，２９Ｂ１（図示せず）とチェーン３０により回転伝達する構成とすることにより、操作ハンドル３１を回転操作することによって、二つの送りネジ２９Ａ，２９Ｂが歯車２９Ａ１，２９Ｂ１とチェーン３０により回転させられ、固定バー２８を任意の位置へ移動することができ、操作性が更に良くなるものである。
【００３７】
なお、上記送りネジの回転伝達方法として、歯車とラックの組み合わせや、プーリとベルトの組み合わせなど、他の一般的な回転伝達手段に置き換えても同様の効果が得られることは勿論である。
【００３８】
【発明の効果】
以上のように本発明によれば、一般に使用されるパレットトラックのＵ字状フォークに対し、二本のフィンガの根元部間を橋絡する固定バーと、二本のフィンガの先端部に各々配設された支軸を中心に回動してフィンガ間に突出するように略Ｔ字形のコントロールバーをフィンガに装着し、連結棒によりコントロールバーと連結された操作レバーをハンドル部近傍に設けて、操作レバーの操作によりフィンガ間にコントロールバーが突出した時に、積載されるリールまたはドラム状の部材の荷重をコントロールバーを介して受けるストッパをフィンガに設けることにより、リールまたはドラム状の重い部材を運搬する場合の積み降ろしおよび運搬作業の効率が良く、より安全で、使い勝手の良いパレットトラックを提供することができる。
【図面の簡単な説明】
【図１】本発明の第１の実施の形態によるパレットトラックの斜視図
【図２】同第２の実施の形態によるパレットトラックの斜視図
【図３】同他のパレットトラックの斜視図
【図４】同第３の実施の形態によるパレットトラックの斜視図
【図５】同他のパレットトラックの斜視図
【図６】同他のパレットトラックの要部平面図
【図７】同第４の実施の形態によるパレットトラックの斜視図
【図８】同第５の実施の形態によるパレットトラックの斜視図
【図９】同他のパレットトラックの斜視図
【図１０】同他のパレットトラックの斜視図
【図１１】従来のパレットトラックの斜視図
【符号の説明】
１  Ｕ字状フォーク
１Ａ，１Ｂ  フィンガ
１Ａ１，１Ｂ１  取付用ネジ孔
２Ａ，２Ｂ  後輪
３  前輪
４  ハンドル部
４Ａ  棒体部
４Ｂ  取手部
５  フォーク部上昇用ポンプ
６  制御レバー
７  リールまたはドラム状の部材
９，２６，２８  固定バー
９Ａ  固定部
１１，１２，１５，１７，１９，２１Ａ，２１Ｂ  コントロールバー
１０Ａ，１０Ｂ，１４，１６，２０  受け部
１３，１８  保持部
２１Ａ１，２１Ｂ１  支軸
２２Ａ，２２Ｂ  ストッパー部
２３  支軸
２４  操作レバー
２５Ａ，２５Ｂ  連結棒
２７Ａ，２７Ｂ  取付部
２９Ａ，２９Ｂ  送りネジ
２９Ａ１，２９Ｂ１  歯車
３０  チェーン
３１  操作ハンドル
【図１】
0003796829.tif 000002
【図２】
0003796829.tif 000003
【図３】
0003796829.tif 000004
【図４】
0003796829.tif 000005
【図５】
0003796829.tif 000006
【図６】
0003796829.tif 000007
【図７】
0003796829.tif 000008
【図８】
0003796829.tif 000009
【図９】
0003796829.tif 000010
【図１０】
0003796829.tif 000011
【図１１】
0003796829.tif 000012